(57)【特許請求の範囲】
【請求項１】
複数の基地局を含む通信システムにおける方法であって、各基地局は、割り振られたダウンリンク・チャネルを使用して、選択された数のユーザ機器に通信サービスを提供し、そのデータ通信サービスは、割当て初期ビット・レートを有するダウンリンク・ユーザ・データ・チャネルを使用して、前記ユーザ機器の一部に提供され、各基地局が、
基地局のすべてのダウンリンク・チャネルからの配分ダウンリンク電力の合計を推定するステップと、
前記配分ダウンリンク電力の合計が、基地局の許容最大ダウンリンク電力レベルを超えた場合、その時点でアクティブなユーザに対するダウンリンク・ユーザ・データ・チャネルの部分集合を選択するステップと、ここで、ダウンリンク・ユーザ・データ・チャネルの前記部分集合は、しきい値を超える経路損失を有するダウンリンク・ユーザ・データ・チャネルの中からチャネルを選択することによって、選択され、
前記選択されたダウンリンク・ユーザ・データ・チャネルのビット・レートを低減させることによって、前記配分ダウンリンク電力の合計を前記許容最大ダウンリンク電力レベルに調整するステップと
を一定の時間間隔をおいて実行することを特徴とする方法。
【請求項２】
複数の基地局を含む通信システムにおける方法であって、各基地局は、割り振られたダウンリンク・チャネルを使用して、選択された数のユーザ機器に通信サービスを提供し、そのデータ通信サービスは、割当て初期ビット・レートを有するダウンリンク・ユーザ・データ・チャネルを使用して、前記ユーザ機器の一部に提供され、各基地局が、
基地局のすべてのダウンリンク・チャネルからの配分ダウンリンク電力の合計を推定するステップと、
前記配分ダウンリンク電力の合計が、基地局の許容最大ダウンリンク電力レベルを超えた場合、その時点でアクティブなユーザに対するダウンリンク・ユーザ・データ・チャネルの部分集合を選択するステップと、ここで、ダウンリンク・ユーザ・データ・チャネルの前記部分集合は、プライムレート加入タイプを有さないユーザに対するダウンリンク・ユーザ・データ・チャネルの中からチャネルを選択することによって選択され、
前記選択されたダウンリンク・ユーザ・データ・チャネルのビット・レートを低減させることによって、前記配分ダウンリンク電力の合計を前記許容最大ダウンリンク電力レベルに調整するステップと
を一定の時間間隔をおいて実行することを特徴とする方法。
【請求項３】
前記配分ダウンリンク電力の合計が、基地局の前記許容最大ダウンリンク電力レベルより低い場合、ダウンリンク・ユーザ・データ・チャネルの全て、またはその部分集合を選択する第２選択ステップと、
前記選択されたダウンリンク・ユーザ・データ・チャネルのビット・レートを増加することによって、前記配分ダウンリンク電力の合計を前記許容最大ダウンリンク電力レベルに調整する第２調整ステップとを更に有することを特徴とする請求項１または２に記載の方法。
【請求項４】
前記第２選択ステップでは、しきい値より低い割当てビット・レートを有するダウンリンク・ユーザ・データ・チャネルの中からチャネルを選択することによって、ダウンリンク・ユーザ・データ・チャネルの部分集合を選択することを特徴とする請求項３に記載の方法。
【請求項５】
前記第２選択ステップでは、しきい値より低い経路損失を有するダウンリンク・ユーザ・データ・チャネルの中からチャネルを選択することによって、ダウンリンク・ユーザ・データ・チャネルの部分集合を選択することを特徴とする請求項３に記載の方法。
【請求項６】
前記第２選択ステップでは、プライムレート加入タイプを有するユーザに対するダウンリンク・ユーザ・データ・チャネルの中からチャネルを選択することによって、ダウンリンク・ユーザ・データ・チャネルの部分集合を選択するステップを有することを特徴とする請求項３に記載の方法。
【請求項７】
前記第２選択ステップでは、ダウンリンク・ユーザ・データ・チャネルのためのダウンリンク伝送バッファの開始位置を示すインデックス値からインデックス値の部分集合を巡回式に選択することによって、前記ダウンリンク・ユーザ・データ・チャネルの部分集合を選択することを特徴とする請求項３に記載の方法。
【請求項８】
前記第２選択ステップでは、前記すべてのダウンリンク・ユーザ・データ・チャネルからダウンリンク・ユーザ・データ・チャネルをランダムに選択することによって、ダウンリンク・ユーザ・データ・チャネルの部分集合を選択することを特徴とする請求項３に記載の方法。
【請求項９】
前記第２選択ステップでは、複数の選択基準を連続的に適用してダウンリンク・ユーザ・データ・チャネルの中からチャネルを連続的に選択することによって、ダウンリンク・ユーザ・データ・チャネルの部分集合を選択することを特徴とする請求項３乃至８のいずれか一項に記載の方法。
【請求項１０】
ユーザ機器からの無線チャネル・パラメータの報告間隔よりも長い一定の時間間隔を置いて、前記方法を実行することを特徴とする請求項１乃至９のいずれか一項に記載の方法。
【請求項１１】
最大の経路損失を有するユーザ機器について、隣接セルへのハンドオーバを開始することを特徴とする請求項１に記載の方法。
【請求項１２】
複数の基地局を含む通信システムにおける方法であって、各基地局は、割り振られたダウンリンク・チャネルを使用して、選択された数のユーザ機器に通信サービスを提供し、そのデータ通信サービスは、割当て初期ビット・レートを有するダウンリンク・ユーザ・データ・チャネルを使用して、前記ユーザ機器の一部に提供され、各基地局が、
基地局のすべてのダウンリンク・チャネルからの配分ダウンリンク電力の合計を推定するステップと、
前記配分ダウンリンク電力の合計が、基地局の許容最大ダウンリンク電力レベルより低い場合、ダウンリンク・ユーザ・データ・チャネルの部分集合を選択するステップと、ここで、ダウンリンク・ユーザ・データ・チャネルの前記部分集合は、しきい値より低い経路損失を有するダウンリンク・ユーザ・データ・チャネルの中からチャネルを選択することによって選択され、
前記選択されたダウンリンク・ユーザ・データ・チャネルのビット・レートを増加することによって、前記配分ダウンリンク電力の合計を前記許容最大ダウンリンク電力レベルに調整するステップと
を一定の時間間隔をおいて実行することを特徴とする方法。
【請求項１３】
複数の基地局を含む通信システムにおける方法であって、各基地局は、割り振られたダウンリンク・チャネルを使用して、選択された数のユーザ機器に通信サービスを提供し、そのデータ通信サービスは、割当て初期ビット・レートを有するダウンリンク・ユーザ・データ・チャネルを使用して、前記ユーザ機器の一部に提供され、各基地局が、
基地局のすべてのダウンリンク・チャネルからの配分ダウンリンク電力の合計を推定するステップと、
前記配分ダウンリンク電力の合計が、基地局の許容最大ダウンリンク電力レベルより低い場合、ダウンリンク・ユーザ・データ・チャネルの部分集合を選択するステップと、ここで、ダウンリンク・ユーザ・データ・チャネルの前記部分集合は、プライムレート加入タイプを有するユーザに対するダウンリンク・ユーザ・データ・チャネルの中からチャネルを選択することによって選択され、
前記選択されたダウンリンク・ユーザ・データ・チャネルのビット・レートを増加することによって、前記配分ダウンリンク電力の合計を前記許容最大ダウンリンク電力レベルに調整するステップと
を一定の時間間隔をおいて実行することを特徴とする方法。
【発明の詳細な説明】
【０００１】
（発明の分野）
本発明は、通信システムにおける方法に関し、より詳細には、符号分割多重アクセス（ＣＤＭＡ）通信システムの基地局におけるダウンリンク電力制御のための方法に関する。
【０００２】
（発明の背景）
符号分割多重アクセス（ＣＤＭＡ）通信システムでは、複数の基地局が、それぞれ、ある地理的区域をカバーして、区域内のユーザに通信サービスを提供する。ＣＤＭＡシステムの特徴は、特定かつ固有の符号シーケンスを基地局とユーザ機器の間のアップリンク・チャネルおよびダウンリンク・チャネルに割り当てることによって、共通の通信媒体が異なるユーザ間で共用されることにある。これらの符号シーケンスは、送信機によって使用されて、信号を広帯域スペクトル拡散信号に変換する。受信装置、基地局、またはユーザ機器では、特定の送信機からの上記広帯域信号が、その送信機と同一の符号シーケンスを使用することによって元の帯域幅に再変換されるが、異なる符号でマーク付けされた信号は広帯域信号のままとなるので、受信機によってバックグラウンド・ノイズの一部であると解釈されることになる。
【０００３】
ＣＤＭＡで使用される多重アクセス技法に特有の態様は、すべてのユーザが、可能性として、同時に、同一帯域幅を使用して、広帯域信号を送信するということに関連する。したがって、ＣＤＭＡベースのシステムでの１つの制限要因は、他の送信機によって引き起こされる増大する干渉レベルに起因する、通信チャネルにおける信号対雑音比の低下である。セル当たりの信号干渉レベルは、セル内の送信機から、或いは隣接セル内の送信機からももたらされる。このことから、最大限のシステム能力および高品質のサービスを得るためには、アップリンク信号とダウンリンク信号の両方での、電力制御が極めて重要となることが明白である。これは、アップリンク信号の場合、ユーザ機器の伝送電力を制御しなければならないことを意味する。これは、例えば、サービスを提供する基地局に近いユーザが、より遠距離にいるユーザに対して優位に立つことを回避するため、また許容可能な干渉レベルの制限内で、最適数のユーザを許容するために必要である。一方、ダウンリンク信号の場合、電力制御は、他のセルに対する干渉を最小限に抑えるため、また、したがって、他のセルからの干渉に対して補償するために必要とされる。これにより、基地局は、セル内の任意の場所にいるユーザに対して、隣接セルの干渉レベルに強く寄与し過ぎることなしに、好適にサービスを提供することができる。ダウンリンク電力制御に関するさらに別の重要な観点は、増大する電力値が、信号スペクトルの拡散につながるということである。したがって、ＣＤＭＡベースの通信システムのダウンリンク信号のために予約された許容周波数範囲外に合計のダウンリンク信号スペクトルが拡散するのを回避するため、基地局に対する合計の配分ダウンリンク電力は、最大電力レベルに制限されなければならない。
【０００４】
このように、基地局のダウンリンク伝送電力は、限られたリソースであるので、配分電力の合計が上記最大電力レベルより下にとどまるような方式で、様々なダウンリンク・チャネルに対して適切な電力レベルを配分するための方法が必要とされている。前記ダウンリンク電力制御のための１つの解決法は、配分電力レベルの合計が最大しきい値より下にとどまるようにユーザ当たりの最大ダウンリンク電力を固定配分するというものである。これは、上記最大電力レベルが超えられることのリスクを最小限に抑えるが、柔軟性の欠如のために、システム性能が劣ってしまう。
【０００５】
（発明の概要）
本発明の第１目的は、基地局のダウンリンク電力リソースの管理のための効率的な方法を得ることである。
【０００６】
本発明の他の目的は、ダウンリンク電力の限られたシステムにおいて、基地局に対する配分ダウンリンク電力のレベルが、全体として許容最大ダウンリンク電力レベルより下にとどまるように、確立されたデータ接続を有するユーザのダウンリンク・チャネルのそれぞれに対して電力配分するための方法を得ることである。
【０００７】
本発明のさらに他の目的は、ダウンリンク電力を配分し、ダウンリンク・ユーザ・データ・チャネルのそれぞれに対して、個々に、利用可能なダウンリンク電力レベルを調整するための方法を得ることである。
【０００８】
本発明のさらに他の目的は、ダウンリンク・ユーザ・データ・チャネルの伝送品質を低下させずに、配分ダウンリンク電力の合計を制限することができる方法を得ることである。
【０００９】
要約すれば、本発明のこれらの目的および他の目的は、無線環境パラメータと、ダウンリンク・ユーザ・データ・チャネルにその時点で適用されたビット・レートとに基づいて、定期的に、配分ダウンリンク電力の合計を推定する方法によって達せられる。ここで、上記配分電力が許容最大ダウンリンク電力によって与えられるしきい値を超えた場合は、適切に選択されたユーザに対するユーザ・データ・チャネルのビット・レートが調整される。
【００１０】
本発明は、基地局のダウンリンク・ユーザ・データ・チャネルのそれぞれに対する伝送電力が、伝送される信号エネルギーおよび伝送ビット・レートに依存するという洞察に基づいている。したがって、配分ダウンリンク伝送電力は、あるチャネルまたは一群のチャネルに対する信号エネルギーか、好ましくは、伝送ビット・レートのいずれかを調整することによって制御することができる。
【００１１】
第１の利点として、本発明は、基地局が、許容最大ダウンリンク伝送電力を超過することなく、配分ダウンリンク電力を管理することを可能にする。
【００１２】
本発明の他の利点は、チャネル品質を低下させることなく、上記配分ダウンリンク電力を、例えば個々のユーザ要求またはネットワーク条件に応じて、調整できることである。
【００１３】
本発明のさらに別の利点は、ドロップされるコールの比率を抑えることによって、ユーザのサービス有効範囲を向上させることである。ユーザ・データ・チャネルに対する配分ダウンリンク電力は、良好なサービス品質を受けるユーザの数が顕著に増加され得る方法で調整され得る。
【００１４】
したがって、本発明のさらに別の利点は、最適化された情報スループットおよび／またはシステム能力に関する。
【００１５】
本発明の他の目的、利点、および新規の特徴は、添付の図面および請求項と併せて考慮しながら、本発明の下記の詳細な説明によって、より明白となる。
【００１６】
本発明をよりよく理解するために、添付の図面および以下の好ましい実施形態を参照する。
【００１７】
（詳細な説明）
図１は、複数のセル１１に分割されたＣＤＭＡベースの無線通信システムの概要を示す。これらのセルのそれぞれは、通信サービスを提供するための基地局１２を備えており、この通信サービスは、例えば、基地局１２のサービス範囲内にあるユーザ機器１３ａ〜１３ｄとの間の双方向の音声接続またはデータ接続である。本発明は、基地局１２から、ユーザ機器１３ａ〜１３ｄのうちの確立したデータ接続を有するものに対するダウンリンク・チャネル１４ａ〜１４ｄに関わる。より詳細には、上記データ接続に適用されるダウンリンク・チャネルに対する電力を制御して、これを効率的に配分することに関する。
【００１８】
基地局１２の場合、そのセル１１内にある任意の数のユーザ機器１３ａ〜１３ｄにサービスを提供するために配分しなければならないダウンリンク電力Ｐoutは、下記のとおり表すことができる。
【００１９】
【数１】
0004558943.tif 000002
【００２０】
ここで、合計の配分ダウンリンク電力Ｐoutは、Ｎ個のダウンリンク音声チャネルおよびＭ個のダウンリンク・ユーザ・データ・チャネルに対して配分される伝送電力Ｐiの合計であると解釈する。両方のタイプのダウンリンク・チャネルに対する配分ダウンリンク電力Ｐoutは、前述した望ましくないスペクトル拡散によって制限される許容最大ダウンリンク電力レベルＰmaxを超過してはならない。ただし、Ｐmaxは、実際のシステム負荷に対応する上述のクリティカルな値よりも低い目標電力レベルとして定義することも可能である。このようにすることで、十分に高いシステム容量の場合に全許容ダウンリンク電力を使用することもできるし、上記目標値をより少ないトラフィック時に減少させることもできる。
【００２１】
音声接続は、ある最低限の要件を満たさなければならず、したがって、許容ダウンリンク電力Ｐmaxのうちのある量をＰspeechとして事前に配分しなければならない。したがって、ダウンリンク・ユーザ・データ・チャネルのために残される許容ダウンリンク電力の最大の利用可能な割当ては、ダウンリンク音声チャネルの数Ｎに依存して異なる。したがって、ユーザ・データ・チャネルのそれぞれに対するダウンリンク電力の合計は、ダウンリンク電力の上記最大の利用可能な割当てより下にとどめるように調整されなければならない。本発明の範囲内で、各ダウンリンク・ユーザ・データ・チャネルの配分電力Ｐi,dataは、ビット当たりで伝送される信号エネルギーＥb,iおよび伝送ビット・レートＲiを使用して下記のとおり表される。
【００２２】
【数２】
0004558943.tif 000003
【００２３】
本発明の第１の実施形態は、基地局１２の合計の配分ダウンリンク電力Ｐoutを上記許容最大ダウンリンク電力Ｐmaxに調整することを可能とするものである。この調整は、ダウンリンク・ユーザ・データ・チャネルに対して静的な最大ダウンリンク電力レベルを決定することによってなされるのではなく、それらのチャネルのそれぞれに対して電力レベルＰi,dataを個々に調整することによって行うのが好ましい。これは、ダウンリンク・ユーザ・データ・チャネルのそれぞれが、配分電力の量に関するその特定の要件に応じて調整されることを意味する。この要件は、主に、個々のユーザ１３ａ〜１３ｄからの要求およびそれらのチャネルに対する無線環境の所与の条件に依存する。また、他の要件として、ネットワーク利用の全体、例えば、システム能力または情報スループットに関することがあげられる。
【００２４】
データ接続の個別ユーザの影響は一般に、例えば、可処分サービスまたは保証サービス品質といった加入タイプに関わる。より詳細には、例えば、必要な帯域幅またはユーザの活動によって実際に要求されたサービスに関わる。無線伝搬条件に関して考慮に入れなければならない環境パラメータは、例えば、一般的な地形特性、および、無線チャネルに影響する様々な種類の障害、例えば、樹木１５や建造物１６である。あるユーザ１３ｂの高い移動性に起因して、その環境パラメータは急速に変化する可能性があり、それに応じて、迅速に調整しなければならない。他の影響は、環境雑音またはセル内の他のユーザによる伝送に起因する全体の信号干渉レベルからもたらされる。さらに、特にセル境界で、ユーザ機器１３ｄは、例えば、サービス提供基地局からのダウンリンク・チャネルの品質が低下する可能性がある一方で、基地局１７ａ、１７ｂまたは隣接セル内のユーザ１８からの信号干渉によっても影響を受ける可能性がある。したがって、本発明に係る上記第１態様を利用することにより、データ・トラフィックに対して利用可能なダウンリンク電力の最大の利用可能な割当てを、許容ダウンリンク電力Ｐmaxの制限内で、ダウンリンク・ユーザ・データ・チャネルに提供することが可能であり、一方で、なお上述の様々な要件を柔軟な方式で満たすことが可能である。
【００２５】
本発明の第２実施形態は、ダウンリンク・ユーザ・データ・チャネル当たりの前記配分電力Ｐi,dataを、原則として、２つの異なる代替方式を使用することによって調整可能とするものである。１つの代替方式は、ダウンリンク・チャネルのうちの１つまたは複数の伝送される信号ビット・エネルギーＥb,iを変更することによって電力レベルを調整することである。ただし、電力値の低下は、信号対干渉比Ｅb／Ｉoの低下に起因し、無線チャネルの品質の低下をもたらす。従って、この代替方式は、フレーム・エラーおよびパケット再伝送の数を増加させてしまう可能性があるため、情報スループットの低下をもたらし得るものである。さらに、ユーザ機器のうちのいくつかにおいて不十分な信号電力レベルでの受信が行なわれるため、コール・ドロップ・レートが、特にセル境界で増加する可能性がある。好適な、本実施形態の他の代替方式においては、信号電力を、所与の目標信号対干渉比Ｅb／Ｉoを維持するのに十分なだけ高く保ちながら、ダウンリンク・ユーザ・データ・チャネルのうちの１つまたは複数に対する伝送ビット・レートＲiを調整する。ビット・レートが低下するために、この代替方式においても情報スループットの低下が生じる。しかしながら、伝送ビット・レートは、伝送エラー比率を不変に保ちながら個々のユーザの実際の必要性に応じて調整することができるので、この解決法は、より便利であり、例えば、余計な信号伝送をより減少させ得る。
【００２６】
図２は、その第１の図において、基地局の全体の配分ダウンリンク電力Ｐoutを時間の関数として提示したものである。配分ダウンリンク電力は、すべての音声接続に対して配分されたダウンリンク電力Ｐspeechと、およびすべてのデータ接続に対して配分されたダウンリンク電力Ｐdataとから成っている。本発明の第１態様によれば、本発明による方法は、データ・トラフィックのために使用できる最大の利用可能な電力の範囲内で、ダウンリンク・ユーザ・データ・チャネルへ割り当てる電力レベルを個々に調整することによって、全体の配分ダウンリンク電力Ｐoutを制御することを目的とする。この制御は、ある時点ｔiで、データ・チャネルのビット・レートの初期設定を用いて配分ダウンリンク電力Ｐoutを推定し、その電力を制御することによって行われる。必要であれば、本発明の第２態様に係る反復処理によってビットレートを調整する。配分ダウンリンク電力の合計Ｐoutが、時間間隔［ｔi，ｔi+1］について示されるように、許容最大ダウンリンク電力レベルＰmaxをある量２１１だけ超過する場合、ダウンリンク・ユーザ・データ・チャネルに対する調整は、しきい値レベルＰmaxに制限することを意味する。これに対して、配分ダウンリンク電力が、時間間隔［ｔj，ｔj+1］について示されるように、許容ダウンリンク電力レベルＰmaxよりある量２２１だけ下にとどまる限り、ダウンリンク・ユーザ・データ・チャネルに、残りの電力を追加配分することができる。したがって、本発明のさらに別の態様は、最大の利用可能なダウンリンク電力リソースの最適な配分を得るために、調整すべきダウンリンク・ユーザ・データ・チャネルを適切に選択するための手法に関する。この選択基準は、前述のとおり、ユーザ要求、無線環境条件、およびネットワーク保守に関連する。図２の２１２および２２２に示す例では、適用される選択基準は、ダウンリンク・ユーザ・データ・チャネル［１，Ｍ］に割り当てられたビット・レート（ＢＲ）である。図の２１２は、ＰoutがＰmaxより大きい場合に、割当てビット・レートが最大値を超えるダウンリンク・ユーザ・データ・チャネルについて、その割当ビット・レートが最大ビット・レート（ＢＲmax）まで低減されることを示している。また図の２２２は、ＰoutがＰmaxより小さい場合に、割当てビット・レートが最大値より下にあるダウンリンク・ユーザ・データ・チャネルについて、その割当ビット・レートが最大ビット・レート（ＢＲmax）まで増加されることを示している。他の適切な選択基準については後述する。セル内の様々なダウンリンク・ユーザ・データ・チャネルのビット・レートの選択は、ある時点で、例えば、１０ミリ秒ごとに、好ましくは、アップリンク・チャネルおよびダウンリンク・チャネルに対するシステム電力制御の報告間隔よりも大きな期間をおいて実行される。
【００２７】
図３は、本発明による方法の種々のステップを表す流れ図を示している。まず、ブロック３１において、本発明による方法を開始する前に、何らかの無線環境パラメータを各ダウンリンク・ユーザ・データ・チャネルごとに計算する。これは、チャネルのビット・レート選択を実行できるようにするために必要である。瞬間の伝送品質を追跡するため、各ダウンリンク・ユーザ・データ・チャネルごとに、経路損失および信号対干渉比を決定しなければならない。この経路損失は、ユーザ機器の、それにサービスを提供する基地局までの距離による信号減衰に対応する。この値は、そのダウンリンク・チャネルのユーザ機器によって報告されたダウンリンク信号強度から計算される。信号対干渉比（Ｅb／Ｉo目標）は、ダウンリンク外部ループ電力コントロール内で計算され、これは、ネットワーク内、またはユーザ機器内に配置されている。前記ダウンリンク電力コントロールは、ユーザ機器によって示されたアップリンク・チャネルのための比率値に応じて、ダウンリンク・チャネルの信号ビット・エネルギーを十分に高い目標値に調節する。これらの値は、ビット・レート選択のための判断期間よりもずっと短い期間内に、システムによって更新される。したがって、この方法は、常に、実際に有効な値を適用すると想定することができる。無線チャネルに影響を与える他のパラメータは、例えば、一定のスペクトル密度Ｎを有する白色ガウス雑音であると想定することができる外部雑音と、適用されるダウンリンク拡散符号の不完全な直交性に起因する異なるチャネル間の相関を記述する相関ファクタである。これらの値は、本発明の方法に関しては、一定であると考えることができる。
【００２８】
次のステップのブロック３２では、初期ビット・レートが、各ダウンリンク・ユーザ・データ・チャネルに割り当てられる。送信すべきものを有するチャネルの場合、この初期ビット・レートは、例えば、可能な最高のビット・レートである。送信するデータを有さないチャネルは、ダウンリンク電力制御の実行を維持するのに十分なだ範囲の、可能な最低ビット・レートを選択する。以降、後続の期間における基地局からのすべてのダウンリンク・ユーザ・データ・チャネルに対する出力トラフィックを、ダウンリンク・チャネルのそれぞれに対する出力伝送バッファを巡回式に検査することによって、推定することができる。
【００２９】
次に、ブロック３３では、これらの初期設定から、配分ダウンリンク電力のための暫定値が推定される。
【００３０】
次に、ブロック３４では、配分ダウンリンク電力Ｐoutのための上記暫定値が、許容最大ダウンリンク電力レベルＰmaxと比較される。そして、この配分電力が、許容電力レベルより低い限り、システムは、その時点でダウンリンク電力を制限しない。
【００３１】
ただし、電力要求に関する上記暫定値が許容ダウンリンク電力よりも高い場合、システムは、１つまたは複数のダウンリンク・ユーザ・データ・チャネルのビット・レートをより低いビット・レートに調整する必要がある。これは、ダウンリンク・ユーザ・データ・チャネルのサブセット（部分集合）を選択するブロック３５１のステップ、およびこれらのチャネルのビット・レートを再選択するブロック３５２のステップにより、またこれらブロックを反復させる処理の中で達成される。ブロック３５３では、これらの再選択されたビット・レートから、配分ダウンリンク電力の合計Ｐoutのために調整値が推定される。また、上記反復させる処理は、Ｐoutが許容最大ダウンリンク電力Ｐamxを超えている限り繰り返される。また、上述の部分集合の選択は、単独又は組み合わせで使用することのできるある選択基準によって行うことができ、これについては後述する。
【００３２】
同様に、本発明による方法は、配分ダウンリンク電力Ｐoutが、許容最大ダウンリンク電力Ｐmaxによって与えられるしきい値より低くとどまる場合にも、適用することができる。この場合、残りのダウンリンク電力は、スループットを向上させるため、すなわち、ダウンリンク・ユーザ・データ・チャネルのすべて、またはその部分集合に対するより高いビット・レートによるサービス品質の向上のために使用することができる。これは、ダウンリンク・ユーザ・データ・チャネルの部分集合を選択するブロック３６１のステップ、および部分集合のビット・レートをより高いビット・レートに再選択するブロック３６２のステップと、これらを前述のような反復させる処理によって行われる。そして、ブロック３６３にて、再選択されたビット・レートから、配分ダウンリンク電力の合計Ｐoutに対する調整値が推定される。ブロック３６４により、上述の処理が、Ｐoutがダウンリンク電力目標値を超えない限り繰り返される。
【００３３】
第１手法では、ダウンリンク・ユーザ・データ・チャネルのそれぞれが、チャネル当たりの割当てダウンリンク・ビット・レートに関して、同等に扱われる。したがって、配分ダウンリンク電力が、許容最大ダウンリンク電力によって与えられるしきい値を超える場合、前記配分ダウンリンク電力は、ダウンリンク・ユーザ・データ・チャネルの適切な部分集合の伝送特性を変更することによって、あるいは、別法では、すべてのダウンリンク・ユーザ・データ・チャネルの伝送特性を変更することによって調整する。この適切な部分集合は、いくつかのダウンリンク・ユーザ・データ・チャネルをランダムに選択することによって獲得することができる。もう１つの別の方法では、この部分集合は、ダウンリンク・ユーザ・データ・チャネル上で、データが送信されるべき、ダウンリンク伝送バッファ内での開始位置を表すインデックス値の部分集合を巡回式に選択することによって獲得される。これにより、ある期間内において、ダウンリンク・ユーザ・データ・チャネルのそれぞれが、一時的に低下したビット・レートを有することになる。基地局の観点からすれば、この手法は、実施すること、および維持することが容易である。ただし、この手法は、セル内の様々な場所にいるユーザに対するダウンリンク・チャネルが、そのダウンリンク電力の必要性に関して、異なる事前条件を有することを無視している。したがって、配分ダウンリンク電力レベルの合計が許容最大ダウンリンク電力レベルより小さい場合での第１手法は、アクティブなダウンリンク・ユーザ・データ・チャネルのそれぞれに関して、ビット・レートを同等に増加することである。ただし、この場合は、個々のユーザにおけるビット・レートのわずかな増加を意味する。
【００３４】
したがって、ダウンリンク・ユーザ・データ・チャネルの部分集合を選択する別の手法は、選択基準としてダウンリンク・チャネルの物理特性を考慮する。物理特性とは、例えば、報告された経路損失、ダウンリンク・チャネルに必要な電力レベル、またはその時点で割り当てられているビット・レートに関するものである。たとえば、配分ダウンリンク電力の低減が必要な場合、セル境界での、許容不可能な高い経路損失を有するチャネルがより低い優先順位で扱われることを意味する。というのは、この比較的少数のユーザが、利用可能なダウンリンク電力の相当な部分を消費してしまい、複数の他のユーザを不利にするからである。別の方法では、まず最初に最高の割当てビット・レートを有するチャネルが選択されて、次に、経路損失および／または必要な電力レベルが考慮される。したがって、システムの点からは、この手法は、単にサポートされるユーザの数を最大化するのではなく、例えば、基地局が、ビット・レートおよび経路損失の点で良好なダウンリンク・チャネル品質を提供することのできるダウンリンク・ユーザ・データ・チャネルの数を最適化することを目的とする。しかしながら、全ダウンリンク電力のうちの多くを消費しすぎるユーザに関して、本発明による方法は、代替処置の必要性を示すものである。例えば、重い負荷のかかっているセルのセル境界にいるユーザに関して、より少ないトラフィックを有する隣接セルに対してハンドオーバを開始させることが可能である。一方、ビット・レートが、より高いビット・レートに向けて再選択される場合には、ユーザに対するサービス品質を顕著に向上させるために、既に良好なチャネル品質を有するダウンリンク・チャネルが選択されることが好ましい。
【００３５】
さらに別の手法は、例えば、どのような条件でも少なくともある最低ビット・レートを保証する最高加入タイプ、あるいはアクセスのポイントまたはビット・レートに何の保証もない低予算タイプといったユーザの加入タイプに基づく選択基準である。ユーザに関する追加的な選択基準は、例えば、個別ユーザの必要性をより良い方式で監視できるようにするためのパケット到着時間またはパケット待ち時間である。これは、様々なダウンリンク・ユーザ・データ・チャネルの伝送バッファのステータスが、選択基準として適用されることを意味する。したがって、大量のデータを一時的に要求するユーザには、その一時的な必要性をできる限りよく満たすために、かつ基地局の出力伝送バッファのオーバーフローを回避するために、より高いビット・レートを割り当てることができる。したがって、これらの選択基準を使用して、あるユーザが、長い期間にわたり、無視されることが回避される。
【図面の簡単な説明】
【図１】  ＣＤＭＡベースの通信システムの概要を示し、より詳細には、基地局によってサービスを提供される複数のユーザ機器を含むセルを示す図である。
【図２】  本発明による方法の実施形態を示し、配分ダウンリンク電力が、様々なダウンリンク・ユーザ・データ・チャネルに割り当てられたビット・レートを調整することによって調整されることを示す図である。
【図３】  本発明による方法を示す流れ図である。
【図１】
0004558943.tif 000004
【図２】
0004558943.tif 000005
【図３】
0004558943.tif 000006